(57)【要約】【課題】作業者が容易且つ安全に床部材に乗り移ることができる吊下げ式作業床を提供する。【解決手段】建物２の外周部に該建物２の外壁４に沿って吊り下げて用いられる吊下げ式作業床１を、作業用の足場となる床部材１０と、上端が開放された外壁４に掛止可能な掛止部１３を備え、床部材１０に連結される床支持部材１１と、床部材１０に立設される支柱４１と該支柱４１または床支持部材１１に支持される横材４２とを備え、床部材１０の周囲を囲う柵部材４０と、を有し、柵部材４０に出入り口部分を形成するために、柵部材４０の少なくとも一部を開閉自在に構成されたものとする。【選択図】図２
2017014744.tif 000002
【特許請求の範囲】
【請求項１】
建物の外周部に該建物の外壁に沿って吊り下げて用いられる吊下げ式作業床であって、
作業用の足場となる床部材と、
上端が開放された外壁に掛止可能な掛止部を備え、前記床部材に連結される床支持部材と、
前記床部材に立設される支柱と該支柱または前記床支持部材に支持される横材とを備え、前記床部材の周囲を囲う柵部材と、を有し、
前記柵部材に出入り口部分を形成するために、前記柵部材の少なくとも一部が、開閉自在に構成されていることを特徴とする吊下げ式作業床。
【請求項２】
前記床部材が矩形形状に形成され、
前記床部材の前記外壁の側の辺の両端にそれぞれ前記床支持部材が連結され、
前記床部材の前記外壁とは反対側の辺の両端にそれぞれ前記支柱が立設され、
それぞれの前記床支持部材と前記支柱との間に前記横材が固定され、
一対の前記支柱の間に設けられた前記横材の少なくとも一部が回動自在な開閉バーである、請求項１に記載の吊下げ式作業床。
【請求項３】
一対の前記支柱の間に上下に間隔を空けて一対の前記開閉バーが設けられ、
一方の前記開閉バーが一方の前記支柱に回動自在に支持され、
他方の前記開閉バーが他方の前記支柱に回動自在に支持されている、請求項２に記載の吊下げ式作業床。
【請求項４】
前記床部材から前記柵部材の外側に向けて張り出す朝顔部材をさらに有する、請求項１〜３の何れか１項に記載の吊下げ式作業床。
【請求項５】
前記床支持部材に該床支持部材から前記床部材とは反対側に向けて突出する回転案内手段が取り付けられている、請求項１〜４の何れか１項に記載の吊下げ式作業床。
【発明の詳細な説明】
【技術分野】
【０００１】
本発明は、建物の外周部に該建物の外壁に沿って吊り下げて用いられる吊下げ式作業床に関する。
【背景技術】
【０００２】
住宅等の建物の外装部分の点検やメンテナンス等を行う場合には、新築工事と同様に建物の周囲に足場を組むのが一般的である。しかしながら、対象となる建物が都市部に立地する住宅の場合、建物の周囲に庭木、物置、エアコンの室外機等の障害物が存在することが多く、建物の周囲に地盤面から立ち上がる足場を組み立てるには時間や費用がかさむだけでなく、条件によっては足場を組み立てること自体が不可能な場合もあった。
【０００３】
そこで、従来から、ベランダの腰壁、屋上のパラペット、窓下の腰壁等の上端が開放された外壁から該外壁に沿って吊り下げて用いられる吊足場とも呼ばれる簡易な吊下げ式作業床が提案されていた。
【０００４】
例えば特許文献１には、作業用の足場となる床部材と、この床部材に固定されて該床部材を支持する床支持部材と、床部材の周囲を囲う柵部材とを有し、床支持部材の上端に設けられた略逆Ｊ字状の掛止部を上端が開放された外壁に掛止させることで当該外壁に沿って吊り下げられるようにした吊下げ式作業床が記載されている。
【先行技術文献】
【特許文献】
【０００５】
【特許文献１】特許第５１７１５２５号公報
【発明の概要】
【発明が解決しようとする課題】
【０００６】
しかしながら、上記特許文献１に示される従来の吊下げ式作業床では、床部材の周囲が柵部材で囲われた構成であるので、作業者は、外壁に吊り下げられた作業床に対して建物の側から、上端に手摺や笠木等が設けられた外壁を跨いで床部材に乗り移る必要があった。そのため、床部材への乗り移りは容易ではなく、また、乗り移りの際の安全性の向上にも改善の余地があった。
【０００７】
本発明は、このような点を解決し、その目的は、作業者が容易且つ安全に床部材に乗り移ることができる吊下げ式作業床を提供することにある。
【課題を解決するための手段】
【０００８】
本発明の吊下げ式作業床は、建物の外周部に該建物の外壁に沿って吊り下げて用いられる吊下げ式作業床であって、作業用の足場となる床部材と、上端が開放された外壁に掛止可能な掛止部を備え、前記床部材に連結される床支持部材と、前記床部材に立設される支柱と該支柱または前記床支持部材に支持される横材とを備え、前記床部材の周囲を囲う柵部材と、を有し、前記柵部材に出入り口部分を形成するために、前記柵部材の少なくとも一部が、開閉自在に構成されていることを特徴とする。
【０００９】
本発明の吊下げ式作業床は、上記構成において、前記床部材が矩形形状に形成され、前記床部材の前記外壁の側の辺の両端にそれぞれ前記床支持部材が連結され、前記床部材の前記外壁とは反対側の辺の両端にそれぞれ前記支柱が立設され、それぞれの前記床支持部材と前記支柱との間に前記横材が固定され、一対の前記支柱の間に設けられた前記横材の少なくとも一部が回動自在な開閉バーであるのが好ましい。
【００１０】
本発明の吊下げ式作業床は、上記構成において、一対の前記支柱の間に上下に間隔を空けて一対の前記開閉バーが設けられ、一方の前記開閉バーが一方の前記支柱に回動自在に支持され、他方の前記開閉バーが他方の前記支柱に回動自在に支持されているのが好ましい。
【００１１】
本発明の吊下げ式作業床は、上記構成において、前記床部材から前記柵部材の外側に向けて張り出す朝顔部材をさらに有するのが好ましい。
【００１２】
本発明の吊下げ式作業床は、上記構成において、前記床支持部材に該床支持部材から前記床部材とは反対側に向けて突出する回転案内手段が取り付けられているのが好ましい。
【発明の効果】
【００１３】
本発明によれば、床部材の周囲を囲う柵部材の少なくとも一部を開閉自在に構成するようにしたので、作業者は、建物の外側の地面から床部材に向けて掛け渡された梯子等の昇降手段を介して柵部材の開かれた出入り口部分から床部材に容易且つ安全に乗り移ることができる。したがって、本発明によれば、作業者が容易且つ安全に床部材に乗り移ることができる吊下げ式作業床を提供することができる。
【図面の簡単な説明】
【００１４】
【図１】本発明の一実施の形態である吊下げ式作業床の正面図である。
【図２】図１に示す吊下げ式作業床の側面図である。
【図３】図１に示す吊下げ式作業床をベランダの腰壁に吊り下げた状態を示す側面視での断面図である。
【図４】図１に示す吊下げ式作業床の開閉バーを開いた状態の正面図である。
【図５】開閉バーを閉じた状態に保持するロック機構の構成を示す断面図である。
【図６】図１に示す吊下げ式作業床の折り畳み状態における正面図である。
【発明を実施するための形態】
【００１５】
以下、図面を参照して、本発明をより具体的に例示説明する。
【００１６】
図１、図２に示す吊下げ式作業床１は吊足場とも呼ばれるものであり、建物の外装部分の点検やメンテナンス作業等を行う際に、当該建物の外周部にその外壁に沿って吊り下げて用いられる。
【００１７】
この吊下げ式作業床１は、例えばベランダの腰壁、窓下の腰壁、パラペット等の上端が開放された外壁に吊り下げることができる。図３には、鉄骨造の工業化住宅である建物２のベランダ３の腰壁を構成する外壁４に吊下げ式作業床１を吊り下げた場合を示す。吊下げ式作業床１をベランダ３の腰壁を構成する外壁４に吊り下げることで、当該建物２の外周部に作業者の足場を設けることができる。
【００１８】
吊下げ式作業床１は作業用の足場となる床部材１０を備えている。本実施の形態においては、床部材１０は、複数のアルミニウム合金製の中空パイプ１０ａを互いに平行に並べて一体に連結することにより、平面視における外形が略矩形形状となるスノコ状に形成されている。なお、床部材１０は、上記構成に限らず、作業者の足場を構成することができるものであれば、例えば鋼板等の板材で形成されたものなどの種々の構成のものを用いることができる。
【００１９】
また、吊下げ式作業床１は床部材１０に連結される床支持部材１１が設けられている。この床支持部材１１は床部材１０を建物２の外壁４に支持させるためのものであり、本体部１２と掛止部１３とを有している。本体部１２は床部材１０の荷重を支持することができるように当該床部材１０に連結され、掛止部１３は、例えば上端が開放された外壁４に掛止可能な略逆Ｊ字状に形成されて本体部１２の上部に設けられている。なお、掛止部１３の形状は略逆Ｊ字状に限らず、上端が開放された外壁４に掛止可能な形状であれば、種々の形状を採用することができる。
【００２０】
本実施の形態では、それぞれ床部材１０に連結される一対の床支持部材１１が設けられている。これらの床支持部材１１つまり本体部１２と掛止部１３は、それぞれ鋼材製の中空の角パイプにより構成されている。図１、図２から解るように、一方の床支持部材１１の本体部１２は、その下端において床部材１０の外壁４の側の辺の一端に床部材１０に対して上方に向けて垂直に起立した姿勢で連結されている。同様に、他方の床支持部材１１の本体部１２は、その下端において床部材１０の外壁４の側の辺の他端に床部材１０に対して上方に向けて垂直に起立した姿勢（他方の床支持部材１１の本体部１２と平行な姿勢）で連結されている。
【００２１】
図２に示すように、掛止部１３は、本体部１２に対して床部材１０とは反対側に、当該本体部１２と平行に配置される垂下片１３ａと、垂下片１３ａの上端と本体部１２の上端とを連結する水平片１３ｂとを有するとともに本体部１２の上端側の一部を含むことで全体として略逆Ｊ字状に構成されている。図３に示すように、この掛止部１３を建物２の外壁４に掛止させると、垂下片１３ａが外壁４（ベランダ３）の内側に配置されるとともに水平片１３ｂが外壁４の上端に当接し、本体部１２が外壁４（ベランダ３）の外側に当該外壁４の外面に沿って配置された状態となって掛止部１３つまり床支持部材１１が外壁４に掛け止められる。
【００２２】
図３に示すように、水平片１３ｂの下面には、外壁４の上端に当接する板状の当接片１４を設けることもできる。掛止部１３が外壁４に掛け止められて吊下げ式作業床１が外壁４に沿って吊り下げられ、作業者が吊下げ式作業床１に乗り込むと、吊下げ式作業床１及び作業者の荷重のほとんどが当接片１４に作用して外壁４の上端に伝達されることになる。このとき、当接片１４は、外壁４の上端との当接面積が水平片１３ｂを直接外壁４の上端に当接させる場合の当接面積よりも大きくなるように構成されているので、当該荷重を当接片１４によってより効果的に分散させて、外壁４の上端に加わる圧力を低減させることができる。したがって、外壁４の上端にアルミ製の手摺４ａなどの比較的脆弱な部材が取り付けられている場合であっても、これらの破壊や変形を防止することができる。
【００２３】
詳細は図示しないが、当接片１４の下面には、ゴム等の弾性体やスポンジ等から成る緩衝材を設けることもできる。このような緩衝材を設けることにより、外壁４の上端に傷が付くのを防止することができるとともに、衝撃的荷重が作用した際の外壁４の上端の破壊や変形を防止することができる。なお、本実施の形態においては、当該緩衝材としてブチルゴム製のシートを用いている。
【００２４】
床支持部材１１の本体部１２の上端側には命綱係止用のリング１５が設けられている。吊下げ式作業床１に乗って作業する作業者は、体に装着された命綱のフックをリング１５に係止させることによって、より安全に作業を行うことができる。
【００２５】
また、水平片１３ｂの上面には玉掛け用のリング１６が設けられている。吊下げ式作業床１を地面から設置場所となる外壁４に向けて上方に引き上げる作業を行う際には、引上げ用のロープ等に設けられたフックをこの玉掛け用のリング１６に係止させることで、その引き上げ作業を容易に行うことができる。
【００２６】
外壁４に設置された吊下げ式作業床１の揺れや移動を防止するために、床支持部材１１に壁挟持部材２０、２１を設けることもできる。本実施の形態においては、それぞれの垂下片１３ａの下端付近に壁挟持部材２０を設けるとともに、それぞれの本体部１２の下端付近に壁挟持部材２１を設けている。この場合、垂下片１３ａに設けられる壁挟持部材２０よりも本体部１２に設けられる壁挟持部材２１を下方に配置するようにしている。これらの壁挟持部材２０、２１は基本的に同一の構成となっており、それぞれ外壁４に接する当接部２０ａ、２１ａ、ジャッキボルト２０ｂ，２１ｂ及び手持ちハンドル２０ｃ、２１ｃを備えたジャッキ機構に構成されている。吊下げ式作業床１を外壁４に吊り下げた後、それぞれの壁挟持部材２０、２１の手持ちハンドル２０ｃ、２１ｃを回転させ、一方の当接部２０ａを外壁４の内面に押し付けるとともに他方の当接部２１ａを外壁４の外面に押し付けることにより、これら当接部２０ａ，２１ａの間に外壁４を挟み込んで吊下げ式作業床１を外壁４に固定することができる。このように、床支持部材１１に壁挟持部材２０、２１を設けた構成とすることにより、作業時における吊下げ式作業床１の安定性を高めて、この吊下げ式作業床１を用いた作業の安全性を高めることができる。
【００２７】
なお、２つの壁挟持部材２０、２１のうちの一方のみを上記したジャッキ機構にて構成してもよい。この場合、建物２の側（ベランダ３の側）からの操作が可能となる垂下片１３ａの側の壁挟持部材２０のみをジャッキ機構にて構成するのが作業性の面で好ましい。
【００２８】
また、１つの本体部１２に複数の壁挟持部材２１を設けるようにしたり、さらには垂下片１３ａに設けられる壁挟持部材２０と本体部１２に設けられる壁挟持部材２１とを同一高さに設けるようにしたりするなど、その構成は種々変更可能である。さらに、外壁４に傷を付けることを防止するために、当接部２０ａ，２１ａの外壁４との接触面にゴム等の弾性体やスポンジ等からなる緩衝部材を設けた構成とすることもできる。さらに、壁挟持部材２０、２１のジャッキ機構による調整範囲は、適用が想定される外壁４の壁厚を考慮して任意に設定することができる。
【００２９】
図２に示すように、一対の床支持部材１１は、これらの床支持部材１１から床部材１０とは反対側に向けて突出する回転案内手段３０を取り付けた構成とするのが好ましい。本実施の形態では、それぞれの床支持部材１１の本体部１２の下端側にキャスターに構成された回転案内手段３０を取り付けるようにしている。この場合、回転案内手段３０は本体部１２に固定されるブラケット３０ａに回転自在に支持される車輪３０ｂを有したものとなっており、この車輪３０ｂの回転軸３０ｃは床部材１０の外壁４に沿う辺に平行な方向に向けられている。
【００３０】
回転案内手段３０を設けたことにより、この吊下げ式作業床１を地面から上方に引き上げて外壁４に吊り下げる作業及び外壁４から吊下げ式作業床１を取り外して地面にまで下ろす作業を行う際には、床支持部材１１や床部材１０が直接外壁４の外面に接触することなく、回転案内手段３０の車輪３０ｂが外壁４の表面に当接することになる。したがって、吊下げ式作業床１を引き上げまたは下ろすのに伴って外壁４の表面に沿って車輪３０ｂが回転することにより、外壁４の表面に傷を付けることなく当該上げ下げの作業を行うことができる。このように、床支持部材１１に回転案内手段３０を取り付けた構成とすることにより、吊下げ式作業床１の外壁４に対する上げ下げの作業を外壁４に傷を付けることなく容易に行うことができる。
【００３１】
なお、回転案内手段３０としては、上記したキャスターの構成に限らず、吊下げ式作業床１を外壁４に向けて引き上げる作業等を行う際に外壁４の表面に沿って回転することができる構成のものであれば、例えばローラーや球状の回転体を有するものなど、種々の構成のものを採用することができる。また、車輪３０ｂの外周面にゴム等の弾性体やスポンジ等からなる緩衝部材を設けた構成とすることもできる。
【００３２】
吊下げ式作業床１には、床部材１０に乗って作業する作業者の安全性を高めるために、柵部材４０が設けられている。この柵部材４０は、床部材１０に立設される支柱４１と支柱４１や床支持部材１１に支持される横材４２とを備えており、床部材１０の周囲を囲んでいる。本実施の形態においては、柵部材４０は一対の支柱４１と複数の横材４２とを有した構成とされている。
【００３３】
より具体的には、柵部材４０を構成する一対の支柱４１は、それぞれ本体部１２よりも若干断面積の小さい鋼材製の中空の角パイプによって構成されている。そして、一方の支柱４１は、その下端において床部材１０の外壁４とは反対側の辺の一端に床部材１０に対して上方に向けて垂直に起立した姿勢（床支持部材１１の本体部１２と平行な姿勢）で連結されている。同様に、他方の支柱４１は、その下端において床部材１０の外壁４とは反対側の辺の他端に床部材１０に対して上方に向けて垂直に起立した姿勢（他方の支柱４１及び床支持部材１１の本体部１２と平行な姿勢）で連結されている。
【００３４】
横材４２は横木とも呼ばれるものであり、それぞれ支柱４１と同様に鋼材製の中空の角パイプによって構成されている。図２に示すように、一方の床支持部材１１の本体部１２と一方の支柱４１との間には上下方向に間隔を空けて３本の横材４２が固定され、同様に、他方の床支持部材１１の本体部１２と他方の支柱４１との間には上下方向に間隔を空けて３本の横材４２が固定されている。このような構成により、柵部材４０の床部材１０の側方における部分が構成されている。
【００３５】
なお、上から２番目の横材４２と上から３番目の横材４２との間の上下方向間隔は、一番上の横材４２と上から２番目の横材４２との間の上下方向間隔よりも広くなっている。これにより、この吊下げ式作業床１に乗った作業者が、床部材１０に対して側方にある作業対象に対する作業を行う際には、上から２番目の横材と上から３番目の横材との間の広い隙間から当該作業対象にアクセス可能となり、したがって、当該作業を容易に行うことが可能となる。
【００３６】
一方、柵部材４０の正面側（外壁４とは反対側）つまり一対の支柱４１の間には、上下方向に間隔を空けて２本の横材４２が設けられている。本実施の形態においては、これら２本の横材４２はそれぞれ開閉バーＢに構成されている。つまり、本実施の形態においては、柵部材４０を構成する複数の横材４２のうち、一対の支柱４１の間に設けられる２本の横材４２が開閉バーＢに構成されている。そして、これらの開閉バーＢを上方に向けて回動させることにより、柵部材４０の一部を開いて当該柵部材４０に床部材１０への乗り移りを可能とする出入り口部分を形成することができる。
【００３７】
より具体的には、図中上側の開閉バーＢは、一対の支柱４１の間隔に対応した長さに形成され、その一端において一方の支柱４１にヒンジ４３によって回動自在に支持されて当該ヒンジ４３を中心として上下方向に回動自在となっている。これに対し、下側の開閉バーＢは、一対の支柱４１の間隔に対応した長さに形成され、その一端において上側の開閉バーＢとは異なる他方の支柱４１にヒンジ４４によって回動自在に支持されて当該ヒンジ４４を中心として上下方向に回動自在となっている。
【００３８】
また、一方の支柱４１には他方の支柱４１に回動自在に支持された開閉バーＢの先端が載置されることにより当該開閉バーＢを水平状態に保持する係止ブラケット４５が固定されている。同様に、他方の支柱４１には一方の支柱４１に回動自在に支持された開閉バーＢの先端が載置されることにより当該開閉バーＢを水平状態に保持する係止ブラケット４６が固定されている。このように、それぞれの開閉バーＢは、その先端が係止ブラケット４５、４６に載置されて水平な姿勢（支柱４１に対して垂直且つ床部材１０に平行な姿勢）に維持される。これにより、図１に示すように、床部材１０の正面側が開閉バーＢにより囲われて柵部材４０は２本の開閉バーＢによって閉じた状態とされる。
【００３９】
これに対し、図４に示すように、それぞれの開閉バーＢを上方に向けて回動させて支柱４１に平行な姿勢とすることにより、床部材１０の正面側（外壁４とは反対側）において柵部材４０を開くことができる。つまり、吊下げ式作業床１を外壁４に吊り下げた後、２本の開閉バーＢを共に開くことで、当該作業床１の正面側に柵部材４０が開閉バーＢによって開かれることにより形成される出入り口部分を設けることができる。したがって、吊下げ式作業床１を外壁４に吊り下げた後、２本の開閉バーＢを共に開くことで、作業者は建物２の外側の地面から床部材１０に向けて掛け渡された梯子等の昇降手段（不図示）を介して柵部材４０の開閉バーＢによって開かれた出入り口部分から床部材１０に容易且つ安全に乗り移ることができる。
【００４０】
このように、本発明の吊下げ式作業床１では、床部材１０を囲う柵部材４０の一部を開閉バーＢによって開くことができる構成としたので、開閉バーＢによって開かれた柵部材４０の出入り口部分に向けて建物２の外側の地面から床部材１０に向けて梯子等の昇降手段を掛け渡すことで、作業者を、当該昇降手段を介して床部材１０に容易且つ安全に乗り移らせることができる。
【００４１】
また、床部材１０の正面側に２本の開閉バーＢを上下に間隔を空けて並べて設けるようにしたので、上側の開閉バーＢを手摺としても機能させつつ下側の開閉バーＢを作業者の潜り止めとして機能させることができる。つまり、上側の開閉バーＢにより適切な高さの手摺を構成しつつ、下側の開閉バーＢで上側の開閉バーＢと床部材１０との間への作業者の潜り込みを防止することができる。これにより、簡単な構成で、この吊下げ式作業床１における作業性を高めつつその安全性をも高めることができる。
【００４２】
なお、本実施の形態においては、２本の開閉バーＢを別々の支柱４１に回動自在に支持させるようにしているが、これらを同一の支柱４１に回動自在に支持させる構成とすることもできる。また、開閉バーＢは、これを下方に回動させて柵部材４０を開く構成としたり、或いは上下ではなく支柱４１を中心とした水平方向に回動させて柵部材４０を開く構成としたりすることもできる。さらに、開閉バーＢは少なくとも１本設けられていれば、その本数は任意に設定することができる。さらに、柵部材４０の床部材１０の側方つまり本体部１２と支柱４１との間に設けられた横材４２を開閉バーＢに構成して、床部材１０の側方側における柵部材４０を開閉させる構成とすることもできる。
【００４３】
作業時等において開閉バーＢが不意に開かれることを防止するために、開閉バーＢに当該開閉バーＢを閉じた状態に保持するロック機構Ｌを設けるのが好ましい。図５に示すように、本実施の形態においては、ロック機構Ｌは、開閉バーＢにスライド自在に装着される閂部材（係止部材）５０を有し、開閉バーＢが閉じられたときに閂部材５０を支柱４１に設けられた係止孔（被係止部）４１ａに係合させて開閉バーＢを閉じた状態に保持する構成とされている。なお、各開閉バーＢに設けられるロック機構Ｌの構成は基本的に同一である。
【００４４】
より具体的には、図５（ａ）に示すように、開閉バーＢの外側には角筒形に形成されて当該開閉バーＢに摺動自在なスライダ５１が装着され、このスライダ５１の上面に例えば鋼材製の棒材によって形成される閂部材５０が溶接等の手段によって固定されている。閂部材５０はスライダ５１とともに開閉バーＢに沿って移動自在となっており、開閉バーＢが閉じられたときにスライダ５１を開閉バーＢの先端側に向けて移動させ、図５（ｂ）に示すように、閂部材５０を支柱４１に設けられた係止孔４１ａに係合させることで開閉バーＢを閉じた状態に保持することができる。このようなロック機構Ｌを設けることにより、開閉バーＢが不意に開かれることを防止して、この吊下げ式作業床１の安全性を高めることができる。
【００４５】
また、開閉バーＢの先端にはフランジ部５２が一体に設けられており、スライダ５１がフランジ部５２に当接することでスライダ５１つまり閂部材５０の開閉バーＢからの離脱が防止される構成となっている。このような構成により、吊下げ式作業床１を外壁４に吊り下げた後に、閂部材５０がスライダ５１とともに開閉バーＢから離脱して下方に落下することを防止することができる。つまり、ロック機構Ｌを、ねじやボルト等の落下の懸念のある部材を用いることなく開閉バーＢを閉状態に保持することができる構成として、この吊下げ式作業床１の安全性を高めることができる。
【００４６】
スライダ５１は安全ピン５３を備えた構成とすることもできる。安全ピン５３は開閉バーＢに向けてスライダ５１を貫通可能に設けられており、閂部材５０が係止孔４１ａに係合した状態において開閉バーＢの上面に形成された貫通孔５４に係合することができるようになっている。安全ピン５３が貫通孔５４に係合すると、スライダ５１の閂部材５０が係止孔４１ａから抜け出る方向への移動が阻止される。これにより、作業時等において、閂部材５０が不意に係止孔４１ａから抜けて開閉バーＢのロックが解除されることを防止して、この吊下げ式作業床１を用いた作業の安全性を高めることができる。なお、詳細は図示しないが、安全ピン５３はスライダ５１に対して抜け止めされた構成とされる。
【００４７】
開閉バーＢを閉状態に維持するロック機構Ｌは上記構成に限らず、開閉バーＢが閉じた状態のときに、開閉バーＢに装着された係止部材が、支柱４１に設けられた被係止部に係止して開閉バーＢを閉じた状態に保持できる構成のものであれば、種々の構成を採用することもできる。
【００４８】
図１に示すように、床部材１０の側方には、床部材１０に対して柵部材４０の外側に向けて張り出す朝顔部材６０を設けるのが好ましい。朝顔部材６０は、床部材１０の両側に設けるのが好ましいが、作業場所に応じて床部材１０の何れか一方側にのみ設けることもでき、また、朝顔部材６０を設けずに作業することもできる。
【００４９】
詳細は図示しないが、朝顔部材６０は、例えば金属や樹脂等で形成された矩形の枠体の内側に布やビニール、網等を張った構成のものや金属や樹脂等で矩形に形成された板材など、落下物を捕集することができる構成であれば種々の構成を採用することができる。
【００５０】
また、本実施の形態では、朝顔部材６０を床部材１０の両方の側方側にそれぞれ着脱自在に装着するようにしている。朝顔部材６０が装着された状態を図１、図４に示す。この場合、詳細は図示しないが、支柱４１及び本体部１２に隣接する位置に短いパイプ状の装着筒を上下方向に向けた起立姿勢で設け、朝顔部材６０の基端部分に設けた円筒状の差込み部を装着筒部に軸方向から嵌合させることで朝顔部材６０を吊下げ式作業床１に着脱自在に装着する構成とすることができる。このような構成とすることにより、朝顔部材６０の設置作業を容易にすることができる。また、外壁４に吊り下げられた吊下げ式作業床１に作業者が乗り移った後に朝顔部材６０を設置することが可能となるので、朝顔部材６０が取り外された状態で、吊下げ式作業床１を地面から引き上げて外壁４に吊り下げる作業を行うことができ、これにより当該作業を容易にすることができる。なお、朝顔部材６０の保持強度を高めるために、朝顔部材６０の先端部分と横材４２との間に斜め上方に向けて紐部材を張った構成とすることもできる。
【００５１】
このような朝顔部材６０を設けることにより、吊下げ式作業床１を用いた作業において、作業に必要な道具や資材、備品、ごみ等が吊下げ式作業床１から下方に落下するのを防止して、この吊下げ式作業床１の安全性を高めることができる。また、作業時に発生する粉じんを朝顔部材６０により捕集して、当該粉じんの飛散を抑制することができる。
【００５２】
なお、朝顔部材６０は、上記した着脱自在の構成に限らず、例えば床部材１０にスライド式に格納可能な構成や、本体部１２と支柱４１との下端に回動自在に装着されて本体部１２と支柱４１との間に格納可能な構成など、種々の構成とすることができる。
【００５３】
本実施の形態では、吊下げ式作業床１は、折り畳み可能な構成とされている。つまり、床支持部材１１及び支柱４１は床部材１０の両端に回動自在に連結され、また、床部材１０はその中央部において上方に向けて凸となる逆Ｖ字形状に折り曲げ可能に構成されている。また、一対の支柱４１と床部材１０との間及び一対の床支持部材１１と床部材１０との間には、それぞれ一対のリンク材７０ａ、７０ｂからなるリンク機構７０が設けられている。これにより、図６に示すように、各開閉バーＢを開いた状態として床部材１０の中央部を下側から押し上げて逆Ｖ字形状に折り曲げることにより、一対の支柱４１及び床支持部材１１の間隔が狭められた形状に吊下げ式作業床１を折り畳むことができる。なお、詳細は図示しないが、床部材１０には回動制限機構が設けられ、折り畳まれた吊下げ式作業床１を使用状態にまで広げると、当該回転制限機構によって床部材１０は逆方向（Ｖ字形状）に折り曲げられることが防止されて平面状に維持される。このように、吊下げ式作業床１を折り畳み可能な構成とすることにより、吊下げ式作業床１の作業現場まで運搬を容易にすることができる。
【００５４】
以上、本発明に係る吊下げ式作業床１について、実施形態を挙げて説明したが、本発明は前記実施の形態に限定されるものではなく、その要旨を逸脱しない範囲で種々変更可能であることはいうまでもない。
【００５５】
例えば、前記実施の形態においては、床支持部材１１を鋼材製の角パイプで構成するようにしているが、これに限らず、例えば鋼材製の円形のパイプや鋼板等で構成するなど、床部材１０に連結されて当該床部材１０の荷重を外壁４に支持させることが可能な構成であれば、その材質や形状は種々変更可能である。
【００５６】
また、前記実施の形態においては、一対の床支持部材１１で床部材１０を支持する構成としているが、これに限らず、床部材１０の荷重を外壁４に支持させることが可能な構成であれば、少なくとも１つの床支持部材１１が設けられていればよい。また、床支持部材１１を複数設ける場合でも、その数は種々変更可能である。
【００５７】
さらに、前記実施の形態においては、一対の支柱４１の間に設けられる２本の横材４２をそれぞれ開閉バーＢに構成して柵部材４０の一部を開閉自在な構成としているが、これに限らず、例えば一対の支柱４１の間に設けられる横材４２の少なくとも一部を開閉バーＢに構成したり、支柱４１と床支持部材１１との間に設けられる横材４２の少なくとも一部を開閉バーＢに構成したりするなど、柵部材４０の少なくとも一部を開閉自在にすることができる構成であれば種々の構成を採用することができる。
【符号の説明】
【００５８】
１    吊下げ式作業床
２    建物
３    ベランダ
４    外壁
４ａ  手摺
１０    床部材
１０ａ  中空角パイプ
１１    床支持部材
１２    本体部
１３    掛止部
１３ａ  垂下片
１３ｂ  水平片
１４    当接片
１５    命綱係止用のリング
１６    玉掛け用のリング
２０、２１  壁挟持部材
２０ａ、２１ａ  当接部
２０ｂ，２１ｂ  ジャッキボルト
２０ｃ、２１ｃ  手持ちハンドル
３０    回転案内手段
３０ａ  ブラケット
３０ｂ  車輪
３０ｃ  回転軸
４０    柵部材
４１    支柱
４１ａ  係止孔
４２    横材
４３、４４  ヒンジ
４５、４６  係止ブラケット
５０    閂部材
５１    スライダ
５２    フランジ部
５３    安全ピン
５４    貫通孔
６０    朝顔部材
７０    リンク機構
７０ａ、７０ｂ  リンク材
Ｂ    開閉バー
Ｌ    ロック機構
【図１】
2017014744.tif 000003
【図２】
2017014744.tif 000004
【図３】
2017014744.tif 000005
【図４】
2017014744.tif 000006
【図５】
2017014744.tif 000007
【図６】
2017014744.tif 000008